(57)【要約】  【課題】装置の構成変更を可能にして、操作者の利便性を向上させた信号入出力処理装置を提供する。  【解決手段】複数の信号入力部２０を備えた信号入力部群２と、複数の信号処理部４０を備えた信号処理部群４と、複数の信号出力部３０を備えた信号出力部群３と、装置構成の設定情報に従い、信号入力部群２、信号処理部群４、および信号出力部群３のなかから、少なくとも信号処理部４０および信号出力部３０を含む複数のモジュールを選択し、選択したモジュール間を接続することにより、装置構成を設定する制御部８と、操作者から設定情報を受け付けて、制御部８に入力するマンマシンＩＦ部７と、を有する。【選択図】図１
2018074374.tif 000002
【特許請求の範囲】
【請求項１】
複数の信号入力手段と、
複数の信号処理手段と、
複数の信号出力手段と、
入力された装置構成の設定情報に従い、前記複数の信号入力手段、前記複数の信号処理手段、および前記複数の信号出力手段のなかから、少なくとも信号処理手段および信号出力手段を含む複数の手段を選択し、選択した手段間を接続することにより、装置構成を設定する制御手段と、
操作者から前記設定情報を受け付けて、前記制御手段に入力する設定情報受付手段と、を有する
ことを特徴とする信号入出力処理装置。
【請求項２】
請求項１に記載の信号入出力処理装置であって、
前記複数の信号入力手段、前記複数の信号処理手段、および前記複数の信号出力手段のなかから、少なくとも信号処理手段および信号出力手段を含む複数の手段の選択と、選択された手段間の接続の設定と、を操作者より対話的に受け付ける対話操作受付手段と、
前記対話操作受付手段により操作者から受け付けた選択および接続の設定の内容に従い前記設定情報を生成する設定情報生成手段と、をさらに有し、
前記設定情報受付手段は、
前記設定情報生成手段により生成された前記設定情報を前記制御手段に入力する
ことを特徴とする信号入出力処理装置。
【請求項３】
請求項１または２に記載の信号入出力処理装置であって、
前記設定情報受付手段は、
操作者より直接入力された前記設定情報を受け付けて前記制御手段に入力する
ことを特徴とする信号入出力処理装置。
【請求項４】
請求項１ないし３のいずれか一項に記載の信号入出力処理装置であって、
前記設定情報を記憶する設定情報記憶手段をさらに有し、
前記設定情報受付手段は、
前記設定情報記憶手段に記憶されている前記設定情報のリストを表示し、操作者から利用する前記設定情報の選択を受け付けて、選択された前記設定情報を前記制御手段に入力する
ことを特徴とする信号入出力処理装置。
【発明の詳細な説明】
【技術分野】
【０００１】
本発明は、入力された信号を処理して出力する信号入出力処理装置に関する。
【背景技術】
【０００２】
従来、入力された画像信号に所定の処理を施して出力する信号入出力処理装置が知られている。例えば、信号入出力処理装置として、特許文献１には、入力された４Ｋ２Ｋ対応の映像信号を２Ｋ１Ｋ対応の映像信号にダウンコンバートするとともに、入力された４Ｋ２Ｋ対応の映像信号とダウンコンバートされた２Ｋ１Ｋ対応の映像信号との差分信号を生成し、ダウンコンバートされた２Ｋ１Ｋ対応の映像信号を差分信号とともに出力する映像信号送信装置が開示されている。また、特許文献２には、入力されたデジタル画像信号を、解像度の異なる画像信号に変換して出力する画像信号変換装置が開示されている。また、特許文献３には、入力されたアナログ映像信号をデジタル映像信号に変換して出力する映像信号処理装置が開示されている。
【先行技術文献】
【特許文献】
【０００３】
【特許文献１】特開２０１４−４９９９１号公報
【特許文献２】特開２０１１−１５１８６号公報
【特許文献３】特開２０１３−７６８５５号公報
【発明の概要】
【発明が解決しようとする課題】
【０００４】
しかしながら、従来の信号入出力処理装置は、特許文献１〜３に示すように、入力された信号に所定の処理を施して出力するものであり、その構成は固定的である。従来の信号入出力処理装置は、その構成を変更することについて何ら考慮されていない。
【０００５】
本発明は上記事情に鑑みてなされたものであり、その目的は、装置の構成変更を可能にして、操作者の利便性を向上させた信号入出力処理装置を提供することにある。
【課題を解決するための手段】
【０００６】
上記課題を解決するために、本発明は、複数の信号入力手段、複数の信号処理手段、および複数の信号出力手段のなかから、少なくとも信号処理手段および信号出力手段を含む複数の手段を設定情報により選択させ、選択された手段間を設定情報により接続することにより、信号入出力処理装置の構成変更を可能としている。
【０００７】
例えば、本発明の信号入出力処理装置は、
複数の信号入力手段と、
複数の信号処理手段と、
複数の信号出力手段と、
入力された装置構成の設定情報に従い、前記複数の信号入力手段、前記複数の信号処理手段、および前記複数の信号出力手段のなかから、少なくとも信号処理手段および信号出力手段を含む複数の手段を選択し、選択した手段間を接続することにより、装置構成を設定する制御手段と、
操作者から前記設定情報を受け付けて、前記制御手段に入力する設定情報受付手段と、を有する。
【発明の効果】
【０００８】
本発明では、設定情報に従い、複数の信号入力手段、複数の信号処理手段、および複数の信号出力手段のなかから、少なくとも信号処理手段および信号出力手段を含む複数の手段を選択し、選択した手段間を接続することにより装置構成を設定するので、設定情報を変更することにより装置の構成変更が可能となり、したがって、操作者の利便性を向上させた信号入出力処理装置を提供することができる。
【図面の簡単な説明】
【０００９】
【図１】図１は、本発明の一実施の形態に係る信号入出力処理装置１の概略機能構成図である。
【図２】図２（Ａ）は、設定情報を表すスクリプトの一例を模式的に表した図であり、図２（Ｂ）は、図２（Ａ）に示す設定情報のスクリプトによって実現される装置構成を示す図である。
【図３】図３は、搭載情報登録処理の動作フローを説明するための図である。
【図４】図４は、装置構成設定処理の動作フローを説明するための図である。
【図５】図５（Ａ）および図５（Ｂ）は、対話操作受付画面の一例を説明するための図である。
【発明を実施するための形態】
【００１０】
以下に、本発明の一実施の形態について、図面を参照して説明する。
【００１１】
図１は、本実施の形態に係る信号入出力処理装置１の概略機能構成図である。
【００１２】
図示するように、信号入出力処理装置１は、複数の信号入力部２０−１〜２０−ｎ（以下、単に信号入力部２０とも呼ぶ）を備えた信号入力部群２と、複数の信号出力部３０−１〜３０−ｎ（以下、単に信号出力部３０とも呼ぶ）を備えた信号出力部群３と、複数の信号処理部４０−１〜４０−ｎ（以下、単に信号処理部４０とも呼ぶ）を備えた信号処理部群４と、搭載情報記憶部５と、設定情報記憶部６と、マンマシンＩＦ部７と、制御部８と、を有している。
【００１３】
信号入力部群２は、ＨＤＤ等のストレージから音響映像信号（音響映像ファイル）を読み込むための信号入力部２０−１、ＷＡＮ、ＬＡＮ等のネットワークを介して外部装置から音響映像信号を受信するための信号入力部２０−２、ＡＶ端子を介して外部装置から音響映像信号を入力するための信号入力部２０−ｎ等、様々なタイプの信号入力部２０を備えている。
【００１４】
信号出力部群３は、ＨＤＤ等のストレージに音響映像信号を書き込むための信号出力部３０−１、ＷＡＮ、ＬＡＮ等のネットワークを介して外部装置に音響映像信号を送信するための信号出力部３０−２、ＡＶ端子を介して外部装置に音響映像信号を出力するための信号出力部３０−ｎ等、様々なタイプの信号出力部３０を備えている。
【００１５】
信号処理部群４は、音響映像信号を内部処理用の標準形式に変換するための信号処理部４０−１、標準形式の音響映像信号を所定形式（例えばＭＰ４形式）に変換するための信号処理部４０−２、信号入力部２０から入力された音響映像信号をパススルーして信号出力部３０へ中継するための信号処理部４０−ｎ等、様々なタイプの信号処理部４０を備えている。
【００１６】
搭載情報記憶部５には、信号入力部群２、信号出力部群３、信号処理部群４がそれぞれ備えている（搭載している）信号入力部２０、信号出力部３０、信号処理部４０に関する情報である搭載情報が記憶されている。
【００１７】
設定情報記憶部６には、信号入力部群２、信号出力部群３および信号処理部群４各々の使用するモジュール（信号入力部２０、信号出力部３０および信号処理部４０）と、これらの接続関係とを設定する情報が、信号入出力処理装置１の装置構成を設定する設定情報として記憶されている。設定情報記憶部６には、例えば、後述するように操作者の操作内容に従って作成されたスクリプトを含む設定情報の他、ＷＡＮ、ＬＡＮ等のネットワークを介して外部装置から受け付けた設定情報、デフォルトの設定情報などが記憶されていてもよい。
【００１８】
図２（Ａ）は、設定情報を表すスクリプトの一例を模式的に表した図である。
【００１９】
図２（Ａ）において、第１行目（Ｌ６００）は、設定情報を保持する領域を確保するスクリプトである。ここでは、設定情報の名称を”ｗｆ”と定義している。また、第２行目〜第４行目（Ｌ６０１）は、使用するモジュールを設定するスクリプトである。ここでは、モジュール”ｍ１”として信号入力部２０−１が設定され、モジュール”ｍ２”として信号処理部４０−ｎが設定され、モジュール”ｍ３”として信号出力部３０−２が設定されている。また、第５行目〜第８行目（Ｌ６０２）は、使用するモジュール間を接続するワイヤを設定するスクリプトである。ここでは、ワイヤ”ｗ１”としてビデオ信号線”ｖｉｄｅｏ１”が設定され、ワイヤ”ｗ２”としてビデオ信号線”ｖｉｄｅｏ２”が設定され、ワイヤ”ｗ３”としてオーディオ信号線”ａｕｄｉｏ１”が設定され、ワイヤ”ｗ４”としてオーディオ信号線”ａｕｄｉｏ２”が設定されている。また、第９行目〜第１６行目（Ｌ６０３）は、使用するモジュールワイヤ間の接続関係を設定するスクリプトである。ここでは、ワイヤ”ｗ１”をモジュール”ｍ１”のビデオ出力およびモジュール”ｍ２”のビデオ入力に接続し、ワイヤ”ｗ２”をモジュール”ｍ２”のビデオ出力およびモジュール”ｍ３”のビデオ入力に接続し、ワイヤ”ｗ３”をモジュール”ｍ１”のオーディオ出力およびモジュール”ｍ２”のオーディオ入力に接続し、ワイヤ”ｗ４”をモジュール”ｍ２”のオーディオ出力およびモジュール”ｍ３”のオーディオ入力に接続するように設定している。
【００２０】
図２（Ｂ）は、図２（Ａ）に示す設定情報のスクリプトによって実現される装置構成を示す図である。
【００２１】
図示するように、信号入出力処理装置１は、図２（Ａ）に示す設定情報”ｗｆ”のスクリプトによって、モジュールｍ１（信号入力部２０−１）によってストレージから読み込まれた音響映像信号の映像信号および音響信号が、それぞれワイヤｗ１（ビデオ信号線”ｖｉｄｅｏ１”）およびワイヤｗ３（オーディオ信号線”ａｕｄｉｏ１”）を介してモジュールｍ２（信号処理部４０−ｎ）に送られ、そこでパススルーされて、それぞれワイヤｗ２（ビデオ信号線”ｖｉｄｅｏ２”）およびワイヤｗ４（オーディオ信号線”ａｕｄｉｏ２”）を介してモジュールｍ３（信号出力部３０−２）に送られ、それから音響映像信号してモジュールｍ３（信号出力部３０−２）よりネットワークを介して外部装置へ送信するように構成される。
【００２２】
図１に戻って説明を続ける。
【００２３】
マンマシンＩＦ部７は、操作者に各種情報を表示したり、操作者から各種操作を受け付けたりするためのインターフェースであり、設定情報受付部７０と、対話操作受付部７１と、設定情報生成部７２と、を有する。
【００２４】
設定情報受付部７０は、操作者から設定情報のスクリプトを受け付けて制御部８に出力する。また、設定情報受付部７０は、設定情報記憶部６に記憶されている設定情報のリストを表示して、操作者から設定情報の選択を受け付ける。そして、選択された設定情報のスクリプトを制御部８に出力する。さらに、設定情報受付部７０は、設定情報生成部７２により生成された設定情報のスクリプトを受け付けて制御部８に出力する。
【００２５】
対話操作受付部７１は、グラフィカルユーザインターフェースを用いて信号入力部群２、信号処理部群４、および信号出力部群３のなかから、それぞれ、１以上の信号入力部２０、１以上の信号処理部４０、および１以上の信号出力部３０の選択と、選択された信号入力部２０、信号処理部４０、および信号出力部３０の接続の設定と、を操作者より対話的に受け付ける。
【００２６】
設定情報生成部７２は、対話操作受付部７１により操作者から対話的に受け付けた操作内容に従い、信号入出力処理装置１の装置構成を設定する設定情報のスクリプトを生成する。
【００２７】
制御部８は、以上の各部２〜７を統括的に制御する。また、制御部８は、信号入力部群２、信号処理部群４、および信号出力部群３がそれぞれ備えている（搭載している）信号入力部２０、信号処理部４０、および信号出力部３０を検知する。さらに、制御部８は、マンマシンＩＦ部７の設定情報受付部７０より入力された設定情報のスクリプトに従い装置構成を設定する（図２参照）。
【００２８】
つぎに、上記構成の信号入出力処理装置１の動作について説明する。
【００２９】
まず、搭載情報登録処理について説明する。
【００３０】
図３は、搭載情報登録処理の動作フローを説明するための図である。このフローは、信号入出力処理装置１の起動時に、あるいは、マンマシンＩＦ部７が操作者から搭載情報登録の指示を受け付けることにより開始される。
【００３１】
まず、制御部８は、初期化処理を実施して、搭載情報記憶部５の登録内容を消去する（Ｓ１０）。つぎに、制御部８は、信号入力部群２が備えている信号入力部２０、信号処理部群４が備えている信号処理部４０、および信号出力部群３が備えている信号出力部３０をそれぞれ検知する（Ｓ１１〜Ｓ１３）。それから、制御部８は、これらの検知結果に基づいて搭載情報を生成し、この搭載情報を搭載情報記憶部５に記憶する（Ｓ１４）。
【００３２】
図４は、装置構成設定処理の動作フローを説明するための図である。このフローは、マンマシンＩＦ部７が操作者から装置構成設定の指示として設定情報の選択指示、直接入力指示、および対話操作受付指示のいずれかを受け付けることにより開始される。
【００３３】
操作者から受け付けた装置構成設定の指示が設定情報の選択指示である場合（Ｓ２０で「選択」）、設定情報受付部７０は、設定情報記憶部６に記憶されている設定情報のリストを表示して、操作者から設定情報の選択を受け付ける（Ｓ２１）。そして、選択を受け付けたならば（Ｓ２２でＹＥＳ）、選択された設定情報のスクリプトを設定情報記憶部６から読み出して制御部８に出力する。これを受けて、制御部８は、選択された設定情報のスクリプトに従い、信号入力部群２、信号処理部群４、および信号出力部群３のなかから、それぞれ、１以上の信号入力部２０、１以上の信号処理部４０、および１以上の信号出力部３０を選択し、選択した信号入力部２０、信号処理部４０、および信号出力部３０間を接続することにより、装置構成を設定する（Ｓ２３）。
【００３４】
また、操作者から受け付けた装置構成設定の指示が設定情報の直接入力指示である場合（Ｓ２０で「直接入力」）、設定情報受付部７０は、操作者から設定情報のスクリプトの入力を受け付けるためのキャラクターユーザインターフェース画面である直接入力画面（不図示）を表示して、操作者から設定情報のスクリプトの入力を受け付ける（Ｓ２４）。そして、操作者から設定情報の入力完了指示を受け付けたならば（Ｓ２５でＹＥＳ）、入力された設定情報のスクリプトを制御部８に出力する。これを受けて、制御部８は、入力された設定情報のスクリプトに従い、信号入力部群２、信号処理部群４、および信号出力部群３のなかから、それぞれ、１以上の信号入力部２０、１以上の信号処理部４０、および１以上の信号出力部３０を選択し、選択した信号入力部２０、信号処理部４０、および信号出力部３０間を接続することにより、装置構成を設定する（Ｓ２６）。その後、この設定情報のスクリプトを設定情報記憶部６に記憶する（Ｓ２７）。
【００３５】
また、操作者から受け付けた装置構成設定の指示が設定情報の対話操作受付指示である場合（Ｓ２０で「対話操作受付」）、対話操作受付部７１は、搭載情報記憶部５に記憶されている搭載情報に基づいて、使用するモジュール（信号入力部２０、信号処理部４０、信号出力部３０）の選択と、選択されたモジュール間の接続の設定と、を操作者から対話的に受け付けるためのグラフィカルユーザインターフェース画面である対話操作受付画面を表示する（Ｓ２８）。
【００３６】
図５（Ａ）および図５（Ｂ）は、対話操作受付画面の一例を説明するための図である。
【００３７】
図示するように、対話操作受付画面は、モジュール表示ウインドウ７１０と、作業ウインドウ７１１と、スクリプト表示ウインドウ７１２と、を備えて構成される。
【００３８】
モジュール表示ウインドウ７１０は、信号入出力処理装置１に搭載されたモジュールのリストを表示するウインドウであり、タブ７１３により、表示するモジュールのリストを切り替えることができる。例えば、「入力」タブ７１３を選択すると、信号入力部群２が備えている信号入力部２０がリスト表示され、「処理］タブ７１３を選択すると、信号処理部群４が備えている信号処理部４０がリスト表示され、そして、「出力」タブ７１３を選択すると、信号出力部群３が備えている信号出力部３０がリスト表示される。
【００３９】
作業ウインドウ７１１は、操作者がモジュールの選択作業および選択されたモジュール間の接続の設定作業を行うためのウインドウである。
【００４０】
図５（Ａ）に示すように、操作者がモジュール表示ウインドウ７１０にリスト表示されているモジュールを作業ウインドウ７１１にドラッグすると、作業ウインドウ７１１内にドラッグされたモジュールが選択される。そして、選択されたモジュールを示すシンボル７１４が作業ウインドウ７１１に表示される。ここで、図５（Ｂ）に示すように、シンボル７１４が信号入力部２０を示している場合、シンボル７１４にはビデオ出力およびオーディオ出力の少なくとも一方が備えられ、シンボル７１４が信号出力部３０を示している場合、シンボル７１４にはビデオ入力およびオーディオ入力の少なくとも一方が備えられ、そして、シンボル７１４が信号処理部４０を示している場合、シンボル７１４にはビデオ入力・出力およびオーディオ入力・出力の少なくとも一方が備えられる。
【００４１】
また、図５（Ｂ）に示すように、例えば、操作者が作業ウインドウ７１１に表示されている２つのシンボル７１４の一方のビデオ出力をドラッグして他方のビデオ入力にドロップすることにより、この２つのシンボル７１４のビデオ出力およびビデオ入力を選択すると、あるいは、２つのシンボル７１４の一方のオーディオ出力をドラッグして他方のオーディオ入力にドロップすることにより、この２つのシンボル７１４のオーディオ出力およびオーディオ入力を選択すると、選択された２つのシンボル７１４のビデオ出力とビデオ入力との間、あるいはオーディオ出力とオーディオ入力との間が接続される。そして、選択された２つのシンボル７１４のビデオ出力とビデオ入力との間、あるいはオーディオ出力とオーディオ入力との間を繋ぐワイヤ７１５が、このワイヤ７１５に付与されたユニークな名称とともに表示される。ここでは、ワイヤ７１５がビデオ出力とビデオ入力との間を繋ぐビデオ信号線である場合、ワイヤ７１５の名称として”ｖｉｄｅｏ”＋連番を付与し、ワイヤ７１５がオーディオ出力とオーディオ入力との間を繋ぐオーディオ信号線である場合、ワイヤ７１５の名称として”ａｕｄｉｏ”＋連番を付与している。
【００４２】
スクリプト表示ウインドウ７１２は、作業ウインドウ７１１を介して操作者より受け付けた操作内容に応じた設定情報のスクリプトを表示するウインドウである。例えば、図５（Ａ）に示すように、作業ウインドウ７１１内にシンボル７１４がドラッグされると、このシンボル７１４が示すモジュールが選択されたことを表す設定情報のスクリプトが表示される（図２（Ａ）のＬ６０１参照）。また、図５（Ｂ）に示すように、作業ウインドウ７１１内の２つのシンボル７１４のビデオ出力およびビデオ入力あるいはオーディオ出力およびオーディオ入力が選択されると、選択された２つのシンボル７１４のビデオ出力とビデオ入力との間、あるいはオーディオ出力とオーディオ入力との間が接続されたことを表す設定情報のスクリプトが表示される（図２（Ａ）のＬ６０２、Ｌ６０３参照）。なお、ここでは、対話操作受付画面の表示に際し、この対話操作受付画面を介して操作者から対話的に受け付ける設定情報の名称が自動的に付与され、その名称を定義するスクリプトがスクリプト表示ウインドウ７１２の最初の行に表示される。
【００４３】
さて、対話操作受付部７１は、対話操作受付画面を介して操作者からモジュールの選択を受け付ける（Ｓ２９）。そして、設定情報生成部７２は、このモジュールが選択されたことを表す設定情報のスクリプトを生成する。また、対話操作受付部７１は、設定情報生成部７２により生成された設定情報のスクリプトを対話操作受付画面のスクリプト表示ウインドウ７１２に表示する（Ｓ３０）。
【００４４】
つぎに、対話操作受付部７１は、以上のようにして、信号入力部群２、信号処理部群４、および信号出力部群３のなかから、それぞれ、１以上の信号入力部２０、１以上の信号処理部４０、および１以上の信号出力部３０が選択された状態で、操作者から選択完了指示を受領すると（Ｓ３１でＹＥＳ）、対話操作受付画面を介して操作者からモジュール（信号入力部２０、信号処理部４０、信号出力部３０）間の接続の設定を受け付ける（Ｓ３２）。そして、設定情報生成部７２は、操作者から受け付けたモジュール間の接続を表す設定情報のスクリプトを生成する。また、対話操作受付部７１は、設定情報生成部７２により生成された設定情報のスクリプトを対話操作受付画面のスクリプト表示ウインドウ７１２に表示する（Ｓ３３）。
【００４５】
それから、対話操作受付部７１は、以上のようにして、選択されたすべてのモジュール間が接続された状態、具体的には、信号入力部２０と信号処理部４０との間、信号処理部４０が複数選択されている場合は信号処理部４０と信号処理部４０との間、および信号処理部４０と信号出力部３０との間が接続された状態で操作者から接続完了指示を受領すると（Ｓ３４でＹＥＳ）、その旨を設定情報生成部７２に通知する。これを受けて、設定情報生成部７２は、対話操作受付画面を介して操作者から受け付けた操作内容に従って生成した設定情報のスクリプトを設定情報受付部７０に出力する。設定情報受付部７０は、設定情報生成部７２によって生成された設定情報のスクリプトを制御部８に出力する。これを受けて、制御部８は、生成された設定情報のスクリプトに従い、信号入力部群２、信号処理部群４、および信号出力部群３のなかから、それぞれ、１以上の信号入力部２０、１以上の信号処理部４０、および１以上の信号出力部３０を選択し、選択した信号入力部２０、信号処理部４０、および信号出力部３０間を接続することにより装置構成を設定する（Ｓ３５）。その後、この設定情報のスクリプトを設定情報記憶部６に記憶する（Ｓ３６）。
【００４６】
以上、本発明の第一実施の形態について説明した。
【００４７】
本実施の形態では、制御部８が、設定情報に従い、信号入力部群２、信号処理部群４、および信号出力部群３のなかから、それぞれ、１以上の信号入力部２０、１以上の信号処理部４０、および１以上の信号出力部３０を選択し、選択した信号入力部２０、信号処理部４０、および信号出力部３０間を接続することにより、信号入出力処理装置１の装置構成を設定する。したがって、操作者は、設定情報を変更することにより、信号入出力処理装置１の構成変更が可能となるため、操作者の利便性を向上させた信号入出力処理装置１が実現することができる。
【００４８】
また、本実施の形態では、対話操作受付部７１が、信号入力部群２、信号処理部群４、および信号出力部群３のなかから、それぞれ、１以上の信号入力部２０、１以上の信号処理部４０、および１以上の信号出力部３０の選択と、選択された信号入力部２０、信号処理部４０、および信号出力部３０間の接続の設定と、を操作者より対話的に受け付けて、この対話的に受け付けた操作内容に従い、設定情報生成部７２が設定情報を生成する。したがって、設定情報の作成が容易となり、操作者の利便性をさらに向上させることができる。
【００４９】
また、本実施の形態では、設定情報受付部７０により、操作者が設定情報を直接入力することもできるので、例えば予め作成しておいた設定情報を入力することにより信号入出力処理装置１の構成変更を迅速に行うことができる。
【００５０】
また、本実施の形態では、設定情報受付部７０が、設定情報記憶部６に記憶されている設定情報のリストを表示して、操作者から利用する設定情報の選択を受け付けることもできるので、作成済みの設定情報を再利用して信号入出力処理装置１の構成変更を迅速に行うことができ、これにより、操作者の利便性をさらに向上させることができる。
【００５１】
また、本実施の形態では、搭載情報登録処理を実施することにより、信号入力部群２、信号処理部群４、および信号出力部群３がそれぞれ備えているモジュール（信号入力部２０、信号処理部４０、信号出力部３０）を検知して、これらの検知結果に基づき搭載情報を生成し、この搭載情報を搭載情報記憶部５に記憶する。そして、対話操作受付部７１は、搭載情報記憶部５に記憶されている搭載情報に基づいて、信号入力部群２、信号処理部群４、および信号出力部群３のなかから、それぞれ、１以上の信号入力部２０、１以上の信号処理部４０、および１以上の信号出力部３０の選択と、選択された信号入力部２０、信号処理部４０、および信号出力部３０間の接続の設定と、を操作者より対話的に受け付けるための対話操作受付画面を表示する。したがって、本実施の形態によれば、信号入力部群２、信号出力部群３０、および信号処理部群４に搭載するモジュールの変更等に柔軟に対応することができる。
【００５２】
なお、本発明は上記の実施の形態に限定されるものではなく、その要旨の範囲内で数々の変形が可能である。
【００５３】
例えば、本実施の形態において、図１に示す信号入出力処理装置１の機能構成は、ＣＰＵと、メモリと、ＨＤＤ、ＤＶＤ−ＲＯＭ等の補助記憶装置と、ネットワークインターフェースコントローラ等の通信インターフェースと、グラフィックカード、オーディオカード等の音響映像信号を処理する増設カードと、を備えたＰＣ等のコンピュータにおいて、ＣＰＵが所定のプログラムを補助記憶装置からメモリ上にロードして実行することで実現される。
【００５４】
また、本実施の形態において、制御部８は、設定情報に従い、信号入力部群２、信号処理部群４、および信号出力部群３のなかから、それぞれ、１以上の信号入力部２０、１以上の信号処理部４０、および１以上の信号出力部３０を選択し、選択した信号入力部２０、信号処理部４０、および信号出力部３０間を接続することにより、信号入出力処理装置１の装置構成を設定している。しかし、本発明はこれに限定されない。制御部８が、設定情報に従い、信号入力部群２、信号処理部群４、および信号出力部群３のなかから少なくとも信号処理部４０および信号出力部３０を含む複数のモジュールを選択し、選択したモジュール間を接続することにより、信号入出力処理装置１の装置構成を設定するものであればよい。
【００５５】
例えば、所定の音響映像信号を発生する信号処理部４０および任意の信号出力部３０を選択し、選択した信号処理部４０および信号出力部３０を接続することにより、所定の音響映像信号を所定の出力先へ出力する信号発生器として、信号入出力処理装置１の装置構成を設定してもよい。この場合、対話操作受付部７１は、グラフィカルユーザインターフェースを用いて信号入力部群２、信号処理部群４、および信号出力部群３のなかから少なくとも信号処理部４０および信号出力部３０を含む複数のモジュールの選択と、選択されたモジュール間の接続の設定と、を操作者より対話的に受け付けるようにする。
【００５６】
また、本実施の形態では、信号入出力処理装置１として音響映像信号の入出力処理を行う信号入出力処理装置を例にとり説明したが、本発明はこれに限定されない。本発明は、様々なタイプの信号の入出力処理を行う信号入出力処理装置に広く適用できる。
【符号の説明】
【００５７】
１：信号入出力処理装置、  ２：信号入力部群、  ３：信号出力部群、  ４：信号処理部群、  ５：搭載情報記憶部、  ６：設定情報記憶部、  ７：マンマシンＩＦ部、  ８：制御部、  ２０、２０−１〜２０−ｎ：信号入力部、  ３０、３０−１〜３０−ｎ：信号出力部、  ４０、４０−１〜４０−ｎ：信号処理部、  ７０：設定情報受付部、  ７１：対話操作受付部、  ７２：設定情報生成部
【図１】
2018074374.tif 000003
【図２】
2018074374.tif 000004
【図３】
2018074374.tif 000005
【図４】
2018074374.tif 000006
【図５】
2018074374.tif 000007
【手続補正書】
【提出日】平成29年3月30日(2017.3.30)
【手続補正１】
【補正対象書類名】特許請求の範囲
【補正対象項目名】全文
【補正方法】変更
【補正の内容】
【特許請求の範囲】
【請求項１】
複数の信号入力手段を含む信号入力手段群と、
複数の信号処理手段を含む信号処理手段群と、
複数の信号出力手段を含む信号出力手段群と、
入力された装置構成の設定情報に従い、前記信号入力手段群、前記信号処理手段群、および前記信号出力手段群のなかから複数の手段を選択し、選択した手段間を接続することにより、装置構成を設定する制御手段と、
グラフィカルユーザインターフェース画面である対話操作受付画面を表示して、当該対話操作受付画面を介して操作者より、前記信号入力手段群、前記信号処理手段群、および前記信号出力群のなかから、少なくとも信号入力手段、信号処理手段、および信号出力手段を含む複数の手段の選択と、選択された手段間の接続の設定と、を対話的に受け付ける対話操作受付手段と、
前記対話操作受付手段により操作者から受け付けた複数の手段の選択および選択された手段間の接続の設定の内容に従い前記設定情報を生成する設定情報生成手段と、
前記設定情報生成手段により生成された前記設定情報を前記制御手段に入力する設定情報受付手段と、を有し、
前記対話操作受付画面は、
前記信号入力手段群、前記信号処理手段群、および前記信号出力手段群のそれぞれについて、当該手段群に含まれている手段のリストを表示するモジュール表示ウインドウと、
前記複数の手段の選択作業、および前記選択された手段間の接続の設定作業を行うための作業ウインドウと、
前記設定情報生成手段により生成された前記設定情報を表示するスクリプト表示ウインドウと、を有し、
前記対話操作受付手段は、
前記操作者によって前記モジュール表示ウインドウに表示中のいずれかの手段が前記作業ウインドウにドラッグされると、当該手段の選択を受け付けるとともに、当該手段が信号入力手段ならばビデオ出力ノードおよびオーディオ出力ノードの少なくとも一方を備え、信号出力手段ならばビデオ入力ノードおよびオーディオ入力ノードの少なくとも一方を備え、そして、信号処理手段ならばビデオ入力ノードおよびビデオ出力ノードとオーディオ入力ノードおよびオーディオ出力ノードとの少なくとも一方を備えた、当該手段を表すシンボルを前記モジュール表示ウインドウに表示し、
前記モジュール表示ウインドウに表示中のいずれか２つのシンボルについて、一方のシンボルの出力ノードをドラッグして他方のシンボルの当該出力ノードと同じ信号種別の入力ノードにドロップすることにより、あるいは他方のシンボルの入力ノードをドラッグして一方のシンボルの当該入力ノードと同じ信号種別の出力ノードにドロップすることにより、当該２つのノード間の接続を設定するとともに、両ノード間を繋ぐワイヤを前記モジュール表示ウインドウに表示する
ことを特徴とする信号入出力処理装置。
【請求項２】
請求項１に記載の信号入出力処理装置であって、
前記設定情報受付手段は、
操作者より直接入力された前記設定情報を受け付けて前記制御手段に入力する
ことを特徴とする信号入出力処理装置。
【請求項３】
請求項１または２に記載の信号入出力処理装置であって、
前記設定情報を記憶する設定情報記憶手段をさらに有し、
前記設定情報受付手段は、
前記設定情報記憶手段に記憶されている前記設定情報のリストを表示し、操作者から利用する前記設定情報の選択を受け付けて、選択された前記設定情報を前記制御手段に入力する
ことを特徴とする信号入出力処理装置。
【手続補正２】
【補正対象書類名】明細書
【補正対象項目名】０００７
【補正方法】変更
【補正の内容】
【０００７】
例えば、本発明の信号入出力処理装置は、
複数の信号入力手段を含む信号入力手段群と、
複数の信号処理手段を含む信号処理手段群と、
複数の信号出力手段を含む信号出力手段群と、
入力された装置構成の設定情報に従い、前記信号入力手段群、前記信号処理手段群、および前記信号出力手段群のなかから複数の手段を選択し、選択した手段間を接続することにより、装置構成を設定する制御手段と、
グラフィカルユーザインターフェース画面である対話操作受付画面を表示して、当該対話操作受付画面を介して操作者より、前記信号入力手段群、前記信号処理手段群、および前記信号出力群のなかから、少なくとも信号入力手段、信号処理手段、および信号出力手段を含む複数の手段の選択と、選択された手段間の接続の設定と、を対話的に受け付ける対話操作受付手段と、
前記対話操作受付手段により操作者から受け付けた複数の手段の選択および選択された手段間の接続の設定の内容に従い前記設定情報を生成する設定情報生成手段と、
前記設定情報生成手段により生成された前記設定情報を前記制御手段に入力する設定情報受付手段と、を有し、
前記対話操作受付画面は、
前記信号入力手段群、前記信号処理手段群、および前記信号出力手段群のそれぞれについて、当該手段群に含まれている手段のリストを表示するモジュール表示ウインドウと、
前記複数の手段の選択作業、および前記選択された手段間の接続の設定作業を行うための作業ウインドウと、
前記設定情報生成手段により生成された前記設定情報を表示するスクリプト表示ウインドウと、を有し、
前記対話操作受付手段は、
前記操作者によって前記モジュール表示ウインドウに表示中のいずれかの手段が前記作業ウインドウにドラッグされると、当該手段の選択を受け付けるとともに、当該手段が信号入力手段ならばビデオ出力ノードおよびオーディオ出力ノードの少なくとも一方を備え、信号出力手段ならばビデオ入力ノードおよびオーディオ入力ノードの少なくとも一方を備え、そして、信号処理手段ならばビデオ入力ノードおよびビデオ出力ノードとオーディオ入力ノードおよびオーディオ出力ノードとの少なくとも一方を備えた、当該手段を表すシンボルを前記モジュール表示ウインドウに表示し、
前記モジュール表示ウインドウに表示中のいずれか２つのシンボルについて、一方のシンボルの出力ノードをドラッグして他方のシンボルの当該出力ノードと同じ信号種別の入力ノードにドロップすることにより、あるいは他方のシンボルの入力ノードをドラッグして一方のシンボルの当該入力ノードと同じ信号種別の出力ノードにドロップすることにより、当該２つのノード間の接続を設定するとともに、両ノード間を繋ぐワイヤを前記モジュール表示ウインドウに表示する。